(57)【要約】【課題】  フィルム状基材をホルダに巻きつけて貼り付ける際に発生する気泡を削減すること。【解決手段】  アンテナ装置（１００）は、フィルム状基材（１２）と、このフィルム状基材上に形成されたアンテナパターン(１４)とからなるアンテナ素子(１０)と、このアンテナ素子を略コ字型に折り曲げた状態でアンテナ素子が巻きつけられて貼り付けられる絶縁性のホルダ(２０)と、を備える。アンテナ素子(１０)は、アンテナ素子をホルダに貼り付ける際に、アンテナ素子とホルダとの間に発生する気泡を外部へ逃す、少なくとも１つの気泡放出部(１６、１７)を持つ。【選択図】      図１
2011044982.tif 000002
【特許請求の範囲】
【請求項１】
フィルム状基材と、該フィルム状基材上に形成されたアンテナパターンとからなるアンテナ素子と、
該アンテナ素子を略コ字型に折り曲げた状態で前記アンテナ素子が巻きつけられて貼り付けられる絶縁性のホルダと、
を備えるアンテナ装置であって、
前記アンテナ素子は、前記アンテナ素子を前記ホルダに貼り付ける際に、前記アンテナ素子と前記ホルダとの間に発生する気泡を外部へ逃す、少なくとも１つの気泡放出部を有する特徴とするアンテナ装置。
【請求項２】
前記気泡放出部は、前記フィルム状基材の折り曲げ部近傍であって、前記アンテナパターンと前記フィルム状基材との境界部に形成されている、請求項１に記載のアンテナ装置。
【請求項３】
前記気泡放出部は少なくも１つの開口を持つ、請求項２に記載のアンテナ装置。
【請求項４】
前記気泡放出部は１本のスリット状開口部から成る、請求項３に記載のアンテナ装置。
【発明の詳細な説明】
【技術分野】
【０００１】
本発明は、アンテナ装置に関し、特に、アンテナパターンが形成されたフレキシブルな基板（フィルム状基板）を絶縁性のホルダに巻きつけてなる平面アンテナ装置に関する。
【背景技術】
【０００２】
携帯電話機には、地上波デジタル放送におけるワンセグ放送を受信可能なものがある。そのようなワンセグ放送を受信するためのアンテナ装置として、平面型アンテナ装置が使用されている。
【０００３】
このような平面アンテナ装置は、種々提案されている。例えば、特開２００８−１９３２９９号公報（特許文献１）は、誘電材料にフレキシブルなプリント回路基板を巻きつけた逆Ｆ型アンテナを開示している。詳述すると、特許文献１に開示された逆Ｆ型アンテナは、逆Ｆ型アンテナ用の回路を有するフレキシブル基板（ＦＰＣ）と、このフレキシブル基板（ＦＰＣ）がコ字型に折られ平板状に対向して形成されたグランド部と放射素子との間に介装される誘電体とから成る。ＦＰＣは折れ線によってコ字型に折られている。誘電体とフレキシブル基板とは、接着剤を使用して、又はボンディングシートを介して、貼り合わされている。
【先行技術文献】
【特許文献】
【０００４】
【特許文献１】特開２００８−１９３２９９号公報
【発明の概要】
【発明が解決しようとする課題】
【０００５】
特許文献１に開示された逆Ｆ型アンテナでは、フレキシブル基板（ＦＰＣ）を、誘電体に巻きつけて貼り付ける必要がある。しかしながら、この貼り付ける際に、フレキシブル基板と誘電体との間に気泡が出来易いという問題がある。特に、高温時には、その気泡が膨らんでしまい、フレキシブル基板と誘電体との間の粘着の低下を引き起こす懸念がある。
【０００６】
したがって、本発明の解決すべき課題は、フィルム状基材をホルダに巻きつけて貼り付ける際に発生する気泡を削減することが可能な、アンテナ装置を提供することにある。
【課題を解決するための手段】
【０００７】
本発明によれば、フィルム状基材（１２）と、該フィルム状基材上に形成されたアンテナパターン(１４)とからなるアンテナ素子(１０)と、該アンテナ素子を略コ字型に折り曲げた状態で前記アンテナ素子が巻きつけられて貼り付けられる絶縁性のホルダ(２０)と、を備えるアンテナ装置(１００)であって、前記アンテナ素子(１０)は、前記アンテナ素子を前記ホルダに貼り付ける際に、前記アンテナ素子と前記ホルダとの間に発生する気泡を外部へ逃す、少なくとも１つの気泡放出部(１６、１７)を有する特徴とするアンテナ装置が得られる。
【０００８】
上記アンテナ装置において、前記気泡放出部（１６、１７）は、前記フィルム状基材（１２）の折り曲げ部（ＢＬ１）近傍であって、前記アンテナパターン(１４)と前記フィルム状基材（１２）との境界部に形成されていることが好ましい。前記気泡放出部（１６、１７）は、少なくも１つの開口を持つものであって良い。前記気泡放出部は、１本のスリット状開口部（１６、１７）から成ることが望ましい。
【０００９】
尚、上記括弧内の符号は、本発明の理解を容易にするために付したものであり、一例にすぎず、これらに限定されないのは勿論である。
【発明の効果】
【００１０】
本発明では、アンテナ素子に、アンテナ素子をホルダに貼り付ける際に、アンテナ素子とホルダとの間に発生する気泡を外部へ逃す、少なくとも１つの気泡放出部を形成したので、フィルム状基材をホルダに巻きつけて貼り付ける際に発生する気泡を削減することが可能となる。
【図面の簡単な説明】
【００１１】
【図１】本発明の一実施の形態に係るアンテナ装置を示す図で、（Ａ）はアンテナ装置の平面図であり、（Ｂ）はアンテナ装置の底面図であり、（Ｃ）はアンテナ装置の正面図であり、（Ｄ）はアンテナ装置の右側面図である。
【図２】図１に図示したアンテナ装置に使用される樹脂製のホルダを示す図で、（Ａ）はホルダの底面図であり、（Ｂ）はホルダの正面図であり、（Ｃ）はホルダの右側面図である。
【図３】図１に図示したアンテナ装置に使用されるアンテナ素子の展開図である。
【図４】図３のアンテナ素子の一部分（主要部）を拡大して示した要部拡大右側面図である。
【発明を実施するための形態】
【００１２】
以下、図面を参照して、本発明の実施の形態について詳細に説明する。
【００１３】
図１乃至図４を参照して、本発明の一実施の形態に係るアンテナ装置１００について説明する。図示のアンテナ装置１００は、地上波デジタル放送におけるワンセグ放送を受信するための平面アンテナ装置であって、携帯電話機等の筐体の内部に搭載される平面アンテナ装置である。
【００１４】
図１はアンテナ装置１００を示す図で、（Ａ）はアンテナ装置１００の平面図であり、（Ｂ）はアンテナ装置１００の底面図であり、（Ｃ）はアンテナ装置１００の正面図であり、（Ｄ）はアンテナ装置１００の右側面図である。
【００１５】
図示のアンテナ装置１００は、アンテナ素子１０と、樹脂製（絶縁性）のホルダ２０とを備えている。図示の例では、ホルダ２０は、ＡＢＳ樹脂からなる。
【００１６】
図２は樹脂製のホルダ２０を示す図で、（Ａ）はホルダ２０の底面図であり、（Ｂ）はホルダ２０の正面図であり、（Ｃ）はホルダ２０の右側面図である。
【００１７】
図３はアンテナ素子１０の展開図である。後述するように、アンテナ素子１０は、ホルダ２０にコ字型に折り曲げた状態で巻き付けられる。したがって、図３の上側が平面図を示し、図３の下側が底面図を示している。
【００１８】
図４は、図３のアンテナ素子１０の一部分（主要部）を拡大して示した要部拡大右側面図である。
【００１９】
図示の例において、直交座標系（Ｘ，Ｙ，Ｚ）は、左右（横）に延在するＸ軸方向と、前後に延在するＹ軸方向と、上下に延在するＺ軸方向とを持つ。Ｘ軸方向、Ｙ軸方向、Ｚ軸方向は互いに直交している。Ｘ軸方向は横方向又は幅方向とも呼ばれる。Ｙ軸方向は前後方向とも呼ばれる。Ｚ軸方向は上下方向又は厚さ方向とも呼ばれる。
【００２０】
図２に示されるように、図示のホルダ２０は、左右方向Ｘに長い実質的に直方体の形状をしている。ホルダ２０は、前後方向Ｙに延在する中心線Ｃを中心として、実質的に左右対称の形状をしている。ホルダ２０は、天面２０ｕと、底面２０ｂと、正面２０ｆとを持つ。ホルダ２０は、左右方向Ｘの両端部に、一対の円柱状の開口２０ａを持つ。このホルダ２０には、後述するように、アンテナ素子１０が略コ字型に巻きつけられて、貼り付けられる。
【００２１】
図３を参照すると、アンテナ素子（フィルム状アンテナ）１０は、フィルム状基材（可撓性樹脂フィルム部材）１２と、このフィルム状基材１２の主面１２ｕ上に形成されたアンテナパターン１４とから構成される。図示の例では、アンテナパターン１４は銅箔から成る。しかしながら、アンテナパターン１４は、銅箔以外の他の導体箔から構成されても良い。また、図示の例では、フィルム部材１２はポリイミド樹脂からなり、その厚さは１２．５μｍである。
【００２２】
アンテナ素子（フィルム状アンテナ）１０は、左右方向Ｘに互いに離間して延在する第１及び第２の仮想折り曲げ線ＢＬ１およびＢＬ２に沿って、略コ字型に折り曲げられ得る。
【００２３】
図３において、アンテナ素子１０を略コ字型に折り曲げたとき、第１の仮想折り曲げ線ＢＬ１より上側の部分が表面側（上面側）となり、第２の仮想折り曲げ線ＢＬ２より下側の部分が裏面側（底面側）となり、第１の仮想折り曲げ線ＢＬ１と第２の仮想折り曲げ線ＢＬ２とで挟まれた部分が正面側となる。
【００２４】
図３の展開図において、フィルム状基材１２は、左右方向Ｘに延在する矩形状フィルム部１２２と、矩形状フィルム部１２２の右端部で下方へ延出する右側延出フィルム部１２４と、矩形状フィルム部１２２の左端部で下方へ延出する左側延出フィルム部１２６と、矩形状部１２２の左側で上方へ突出する突出フィルム部１２８とから成る。
【００２５】
矩形状フィルム部１２２は、左右方向Ｘの両端部に、上記ホルダ２０の一対の円柱状開口２０ａと対応する位置に形成された、一対の円形開口１２２ａを持つ。右側延出フィルム部１２４は、上記ホルダ２０の右側の円柱状開口２０ａに対応する位置に設けられた、右側円形開口１２４ａを持つ。左側延出フィルム部１２６は、上記ホルダ２０の左側の円柱状開口２０ａに対応する位置に設けられた、左側円形開口１２６ａを持つ。
【００２６】
図３に示されるように、矩形状フィルム部１２２と突出フィルム部１２８とは、第１の仮想折り曲げ線ＢＬ１よりも上方にあるので、これらはアンテナ素子１０の表面（上面）を構成する。一方、右側延出フィルム部１２４と左側延出フィルム部１２６とは、第１の仮想折り曲げ線ＢＬ１を介して第２の仮想折り曲げ線ＢＬ２よりも下方へ突出しているので、これらはアンテナ素子１０の表面（上面）、正面、及び裏面（底面）を構成する。
【００２７】
アンテナパターン１４は、矩形状フィルム部１２２上の下側（前後方向Ｙの前側）端部に形成されて、左右方向Ｙに延在する矩形延在パターン部１４２と、この矩形延在パターン部１４２の右端から連続（延在）して右側延出フィルム部１２４上に形成された右側パターン部１４４と、矩形延在パターン部１４２の左端から連続（延在）して左側延出フィルム部１２６上に形成された左側パターン部１４６と、左側延出フィルム部１２６の上端から上方（前後方向Ｙの後方）へ延在して、矩形状フィルム部１２２及び突出フィルム部１２８上に形成された突出パターン部１４８とから構成される。
【００２８】
後述するように、突出フィルム部１２８を除くフィルム状基材１２の裏面（すなわち、フィルム状基材１２の矩形状フィルム部１２２、右側延出フィルム部１２４、および左側延出フィルム部１２６の裏面）には、粘着テープが貼り付けられている。
【００２９】
したがって、アンテナ素子１０を第１及び第２の仮想折り曲げ線ＢＬ１およびＢＬ２に沿って、略コ字型に折り曲げて、ホルダ２０に巻き付けることにより、図１に示されるような、アンテナ素子１０がホルダ２０に貼り付けられたアンテナ装置１００を製造することができる。このとき、矩形状フィルム部１２２は、ホルダ２０の天面２０ｕ上に貼り付けられ、右側延出フィルム部１２４および左側延出フィルム部１２６は、ホルダ２０の天面２０ｕ、正面２０ｆ、および底面２０ｂに貼り付けられる。また、突出フィルム部１２８は、ホルダ２０の後端から後方へ突出する。この突出フィルム部１２８は、後述するように、当該アンテナ装置１００を、コネクタ（図示せず）に接続するためのものである。したがって、突出フィルム部１２８は接続端子部とも呼ばれる。
【００３０】
ここでアンテナ素子１０を略コ字型に折り曲げてホルダ２０に貼り付けるとき、上述したように、アンテナ素子１０とホルダ２０との間に気泡が出来易いという問題がある。この問題を解決するため、本発明は、後述するように、この発生した気泡を外部へ逃すための、少なくとも１つの気泡放出部を備えることを特徴としている。
【００３１】
本発明者らは、気泡が何処に出来易いかを観察した。すなわち、本発明者らは気泡が発生し易い箇所を特定することを試みた。その観察の結果、気泡は、フィルム状基材１２の第１の仮想折り曲げ線ＢＬ１（折り曲げ部）近傍であって、かつ、アンテナパターン１４とフィルム状基材１２との境界部に発生し易いことを、本発明者らは確認した。これは、アンテナパターン１４の有無の境界に厚さのギャップがあるので、このギャップのある部分が剥がれ易いことが原因であると考えられる。そこで、本発明者らは、上記気泡放出部を上記気泡が発生し易い箇所に設けることにした。
【００３２】
具体的には、アンテナ素子（フィルム状アンテナ）１０は、上記気泡放出部として第１および第２のスリット状開口部１６および１７を備えている。第１のスリット状開口部１６は、右側延出フィルム部１２４の第１の仮想折り曲げ線（折り曲げ部）ＢＬ１近傍であって、右側パターン部１４４と矩形状フィルム部１２２との境界に形成されている。第２のスリット状開口部１７は、左側延出フィルム部１２６の第１の仮想折り曲げ線（折り曲げ部）ＢＬ１近傍であって、左側パターン部１４６と矩形状フィルム部１２２との境界に形成されている。これにより、アンテナ素子１０を略コ字型に折り曲げてホルダ２０に貼り付ける際に、アンテナ素子１０とホルダ２０との間に発生した気泡を、第１及び第２のスリット状開口部１６および１７を介して外部へ逃すことが可能となる。
【００３３】
とにかく、第１及び第２のスリット状開口部１６および１７の各々は、上記気泡放出部として働く。
【００３４】
尚、気泡放出部の形状は、１本のスリット状開口に限定されず、複数の開口を持つものであっても良い。例えば、上記第１及び第２のスリット状開口部１６および１７の代わりに、第１及び第２のミシン目を使用しても良い。又は、上記第１及び第２のスリット状開口部１６および１７の各々（１本のスリット状開口）の代わりに、複数の円穴や複数の長穴（スリット）が等間隔で穿設されたものを使用しても良い。
【００３５】
図４を参照して、アンテナ素子（フィルム状アンテナ）１０の接続端子部（突出フィルム部１２８）の構成について詳細に説明する。
【００３６】
フィルム状基材１２の主面（上面）１２ｕには、突出フィルム部１２８の先端部を除いて、アンテナパターン１４を覆うように、レジスト３２が形成されている。図示の例では、レジスト３２はエポキシ系樹脂から成り、その厚さは５〜２０μｍである。突出フィルム部１２８の主面（上面）１２８ｕの先端部の中央部に形成されている突出パターン部１４８には、ニッケル下地の金メッキ３４が施されている。突出フィルム部１２８の主面１２８ｕ側の中央部には、レジスト３２上に、第１の粘着材３６を介して第１の補強板３８が張り付けられている。図示の例では、第１の粘着材３６は、アクリル系接着剤からなり、その厚さは４５μｍである。また、第１の補強板３８は、ポリイミド樹脂からなり、その厚さは２５μｍである。
【００３７】
図４に示されるように、突出フィルム部１２８の主面１２８ｕ上に形成されているレジスト３２の先端部は、外部に露出している。
【００３８】
一方、前述したように、突出フィルム部１２８を除くフィルム状基材１２の裏面（下面）１２ｂ上には、粘着テープ４２が貼り付けられている。図示の例では、粘着テープ４２は、アクリル系粘着テープからなり、その厚さは４５μｍである。この粘着テープ４２はセパレータ４４で覆われている。したがって、アンテナ素子１０をホルダ２０に貼り付ける際、このセパレータ４４は、粘着テープ４２から剥がされる。
【００３９】
また、突出フィルム部１２８の裏面（下面）１２８ｂには、第２の粘着材４６を介して第２の補強板４８が張り付けられている。図示の例では、第２の粘着材４６は、アクリル系接着剤からなり、その厚さは４５μｍである。また、第２の補強板４８は、ポリイミド樹脂からなり、その厚さは２５μｍである。          図４に示されるように、第１の補強板３８の下側（前後方向Ｙの前側）の端は、第２の補強板４８の下側（前後方向Ｙの前側）の端と同じ位置にある。
【００４０】
以上、本発明について好ましい実施の形態によって説明してきたが、本発明は上述した実施の形態に限定しないのは勿論である。上述した実施の形態では、気泡放出部を、フィルム状基材の折り曲げ部近傍であって、アンテナパターンとフィルム状基材との境界部に形成しているが、気泡放出部の形成箇所はこれに限定されず、気泡が出来易い箇所に設ければ良い。
【符号の説明】
【００４１】
１００    アンテナ装置
１０    アンテナ素子（フィルム状アンテナ）
１２    フィルム状基材（可撓性樹脂フィルム部材）
１２ｕ    主面（上面）
１２ｂ    裏面（下面）
１２２    矩形状フィルム部
１２２ａ    円形開口
１２４    右側延出フィルム部
１２４ａ    右側円形開口
１２６    左側延出フィルム部
１２６ａ    左側円形開口
１２８    突出フィルム部（接続端子部）
１２８ｕ    主面（上面）
１２８ｂ    裏面（下面）
１４    アンテナパターン
１４２    矩形延在パターン部
１４４    右側パターン部
１４６    左側パターン部
１４８    突出パターン部
１６    気泡放出部（第１のスリット状開口部）
１７    気泡放出部（第２のスリット状開口部）
２０    樹脂製（絶縁性）ホルダ
２０ａ    円柱状開口
２０ｕ    天面
２０ｆ    正面
２０ｂ    底面
３２    レジスト
３４    ニッケル下地の金メッキ
３６    第１の粘着材
３８    第１の補強版
４２    粘着テープ
４４    セパレータ
４６    第２の粘着材
４８    第２の補強板
ＢＬ１、ＢＬ２    仮想折り曲げ線（折り曲げ部）
Ｃ    中心線
【図１】
2011044982.tif 000003
【図２】
2011044982.tif 000004
【図３】
2011044982.tif 000005
【図４】
2011044982.tif 000006